(57)【特許請求の範囲】
【請求項１】
公共の場所に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供システムであって、
前記広告情報提供システムは、
ユーザ所有の携帯端末からの当該広告に表示されているアドレスのサーバヘのアクセスを受け付ける手段と、
前記携帯端末から広告の前記アクセスキーを取得する手段と、
前記アクセスキーから当該広告の広告識別記号と、当該広告の掲示場所を示す場所識別記号を抽出する手段と、
前記場所識別記号から位置情報データベースを検索して広告の掲示場所を特定する手段と、
前記広告識別記号と掲示場所に基づき、広告データベースを検索して、店舗情報を取得する手段と、
取得された前記店舗情報を、アクセスがあった前記携帯端末に送信する手段と
を備えたことを特徴とする広告情報提供システム。
【請求項２】
公共の乗り物に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供システムであって、
前記広告情報提供システムは、
ユーザ所有の携帯端末からの当該広告に表示されているアドレスのサーバヘのアクセスを受け付ける手段と、
前記携帯端末から広告の前記アクセスキーを取得する手段と、
前記アクセスキーから当該広告の広告識別記号と、当該広告の掲示車両を示す場所識別記号を抽出する手段と、
前記場所識別記号とアクセス時刻から運行情報データベースを検索して、車両の通過場所を特定する手段と、
前記広告識別記号と車両の通過場所に基づき、広告データベースを検索して、店舗情報を取得する手段と、
取得された前記店舗情報を、アクセスがあった前記携帯端末に送信する手段と
を備えたことを特徴とする広告情報提供システム。
【請求項３】
前記広告情報提供システムは、
ユーザからのアクセス履歴を格納する手段をさらに備えたことを特徴とする請求項１または２のいずれかに記載の広告情報提供システム。
【請求項４】
公共の場所に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供プログラムであって、
前記広告情報提供プログラムは、
ユーザ所有の携帯端末からの当該広告に表示されているアドレスのサーバヘのアクセスを受け付ける処理と、
前記携帯端末から広告の前記アクセスキーを取得する処理と、
前記アクセスキーから当該広告の広告識別記号と、当該広告の掲示場所を示す場所識別記号を抽出する処理と、
前記場所識別記号から位置情報データベースを検索して広告の掲示場所を特定する処理と、
前記広告識別記号と掲示場所に基づき、広告データベースを検索して、店舗情報を取得する処理と、
取得された前記店舗情報を、アクセスがあった前記携帯端末に送信する処理と
をコンピュータに行わせることを特徴とする広告情報提供プログラム。
【請求項５】
公共の乗り物に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供プログラムであって、
前記広告情報提供プログラムは、
ユーザ所有の携帯端末からの当該広告に表示されているアドレスのサーバヘのアクセスを受け付ける処理と、
前記携帯端末から広告の前記アクセスキーを取得する処理と、
前記アクセスキーから当該広告の広告識別記号と、当該広告の掲示車両を示す場所識別記号を抽出する処理と、
前記場所識別記号とアクセス時刻から運行情報データベースを検索して、車両の通過場所を特定する処理と、
前記広告識別記号と車両の通過場所に基づき、広告データベースを検索して、店舗情報を取得する処理と、
取得された前記店舗情報を、アクセスがあった前記携帯端末に送信する処理と
をコンピュータに行わせることを特徴とする広告情報提供プログラム。
【請求項６】
前記広告情報提供プログラムは、
ユーザからのアクセス履歴を格納する処理をさらにコンピュータに行わせることを特徴とする請求項４または５のいずれかに記載の広告情報提供プログラム。
【請求項７】
請求項４から６のいずれかに記載の広告情報提供プログラムを記録したことを特徴とするコンピュータ読み取り可能な記録媒体。
【発明の詳細な説明】
【０００１】
【発明の属する技術分野】
本発明は、街頭、駅等の公共の場所、あるいは列車やバス等の公共の乗り物向けの広告情報提供システムに関し、特にユーザが持つ携帯電話やＰＤＡ（Personal Digital Assistants）等の携帯端末装置に詳細な広告情報を提供することができる広告情報提供システム、広告情報提供方法、広告情報提供プログラム、及び広告情報提供プログラムを記録した記録媒体に関する。
【０００２】
【従来の技術】
従来の街頭、駅および車内向けの広告情報提供システムでは、街頭、駅などの公共の場所、あるいは列車やバス等の車内に設置された紙媒体に広告を表示するか、同じく街頭、駅および車内に設置された電子的なディスプレイに広告を表示し、ユーザにその閲覧を促していた。また、その広告表示の中に、インターネット上のＷＷＷ（World Wide Web）サーバアドレスを記載し、それぞれユーザに閲覧を促していた。
【０００３】
【発明が解決しようとする課題】
しかしながら、従来の街頭、駅および車内向け広告情報提供システムでは、単に街頭や駅、あるいは車内で広告情報を提供するのみであったため、多数の店舗を持つチェーン店の場合は、全ての店舗情報を掲示するのは困難であるという問題がある。また、ユーザが広告中に表示されたサーバにアクセスして詳細情報を得たとしても、広告主側からはどの広告情報が閲覧されたのか調べることができないため、適切な店舗情報を提供することは困難であるという問題もある。
【０００４】
本発明は、このような事情に鑑みてなされたもので、公共の場所に設置される紙媒体に印刷された、もしくは、電子的なディスプレイに表示された広告の中に、ネットワーク上のサーバアドレスと広告が掲示されている場所固有の識別記号を含むアクセスキーを表示し、ユーザが端末装置を介しそのアクセスキーに基づくサービスを要求することにより、その場所に応じた適切な広告情報を得ることのできる広告情報提供システム、広告情報提供方法、広告情報提供プログラム、及び広告情報提供プログラムを記録した記録媒体を提供することを目的とする。
【０００５】
また、公共の乗り物等の車輌に設置される紙媒体に印刷された、もしくは、電子的なディスプレイに表示された広告の中に、ネットワーク上のサーバアドレスと広告が掲示されている車輌固有の識別記号を含むアクセスキーを表示し、ユーザが端末装置を介しそのアクセスキーに基づくサービスを要求することにより、その車輌の運行状況に応じた適切な広告情報を得ることのできる広告情報提供システム、広告情報提供方法、広告情報提供プログラム、及び広告情報提供プログラムを記録した記録媒体を提供することも目的とする。
更に、そのアクセスキーから広告の掲示場所もしくは車輌を特定し、これら情報を含めアクセス履歴として保存することにより、顧客情報として活用できる、広告情報提供システム、広告情報提供方法、広告情報提供プログラム、及び広告情報提供プログラムを記録した記録媒体を提供することも目的とする。
【０００６】
【課題を解決するための手段】
本発明は、公共の場所に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供方法であって、前記広告情報提供方法は、ユーザからの当該広告に表示されているアドレスのサーバヘのアクセスを受け付ける過程と、ユーザから広告の前記アクセスキーを取得する過程と、前記アクセスキーから当該広告の広告識別記号と、当該広告の掲示場所を示す場所識別記号を抽出する過程と、前記場所識別記号から位置情報データベースを検索して広告の掲示場所を特定する過程と、前記広告識別記号と掲示場所に基づき、広告データベースを検索して、店舗情報を取得する過程と、取得された前記店舗情報を、アクセスがあったユーザに返却する過程とを有することを特徴とする。
【０００７】
本発明は、公共の乗り物に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供方法であって、前記広告情報提供方法は、ユーザからの当該広告に表示されているアドレスのサーバヘのアクセスを受け付ける過程と、ユーザから広告の前記アクセスキーを取得する過程と、前記アクセスキーから当該広告の広告識別記号と、当該広告の掲示車両を示す場所識別記号を抽出する過程と、前記場所識別記号とアクセス時刻から運行情報データベースを検索して、車両の通過場所を特定する過程と、前記広告識別記号と車両の通過場所に基づき、広告データベースを検索して、店舗情報を取得する過程と、取得された前記店舗情報を、アクセスがあったユーザに返却する過程とを有することを特徴とする。
【０００８】
本発明は、前記広告情報提供方法は、ユーザからのアクセス履歴を格納する過程をさらに有することを特徴とする。
【０００９】
本発明は、公共の場所に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供システムであって、前記広告情報提供システムは、ユーザからの当該広告に表示されているアドレスのサーバヘのアクセスを受け付ける手段と、ユーザから広告の前記アクセスキーを取得する手段と、前記アクセスキーから当該広告の広告識別記号と、当該広告の掲示場所を示す場所識別記号を抽出する手段と、前記場所識別記号から位置情報データベースを検索して広告の掲示場所を特定する手段と、前記広告識別記号と掲示場所に基づき、広告データベースを検索して、店舗情報を取得する手段と、取得された前記店舗情報を、アクセスがあったユーザに返却する手段とを備えたことを特徴とする。
【００１０】
本発明は、公共の乗り物に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供システムであって、前記広告情報提供システムは、ユーザからの当該広告に表示されているアドレスのサーバヘのアクセスを受け付ける手段と、ユーザから広告の前記アクセスキーを取得する手段と、前記アクセスキーから当該広告の広告識別記号と、当該広告の掲示車両を示す場所識別記号を抽出する手段と、前記場所識別記号とアクセス時刻から運行情報データベースを検索して、車両の通過場所を特定する手段と、前記広告識別記号と車両の通過場所に基づき、広告データベースを検索して、店舗情報を取得する手段と、取得された前記店舗情報を、アクセスがあったユーザに返却する手段とを備えたことを特徴とする。
【００１１】
本発明は、前記広告情報提供システムは、ユーザからのアクセス履歴を格納する手段をさらに備えたことを特徴とする。
【００１２】
本発明は、公共の場所に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供プログラムであって、前記広告情報提供プログラムは、ユーザからの当該広告に表示されているアドレスのサーバヘのアクセスを受け付ける処理と、ユーザから広告の前記アクセスキーを取得する処理と、前記アクセスキーから当該広告の広告識別記号と、当該広告の掲示場所を示す場所識別記号を抽出する処理と、前記場所識別記号から位置情報データベースを検索して広告の掲示場所を特定する処理と、前記広告識別記号と掲示場所に基づき、広告データベースを検索して、店舗情報を取得する処理と、取得された前記店舗情報を、アクセスがあったユーザに返却する処理とをコンピュータに行わせることを特徴とする。
【００１３】
本発明は、公共の乗り物に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供プログラムであって、前記広告情報提供プログラムは、ユーザからの当該広告に表示されているアドレスのサーバヘのアクセスを受け付ける処理と、ユーザから広告の前記アクセスキーを取得する処理と、前記アクセスキーから当該広告の広告識別記号と、当該広告の掲示車両を示す場所識別記号を抽出する処理と、前記場所識別記号とアクセス時刻から運行情報データベースを検索して、車両の通過場所を特定する処理と、前記広告識別記号と車両の通過場所に基づき、広告データベースを検索して、店舗情報を取得する処理と、取得された前記店舗情報を、アクセスがあったユーザに返却する処理とをコンピュータに行わせることを特徴とする。
【００１４】
本発明は、前記広告情報提供プログラムは、ユーザからのアクセス履歴を格納する処理をさらにコンピュータに行わせることを特徴とする。
【００１５】
本発明は、公共の場所に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供プログラムを記録したコンピュータ読み取り可能な記録媒体であって、前記広告情報提供プログラムは、ユーザからの当該広告に表示されているアドレスのサーバヘのアクセスを受け付ける処理と、ユーザから広告の前記アクセスキーを取得する処理と、前記アクセスキーから当該広告の広告識別記号と、当該広告の掲示場所を示す場所識別記号を抽出する処理と、前記場所識別記号から位置情報データベースを検索して広告の掲示場所を特定する処理と、前記広告識別記号と掲示場所に基づき、広告データベースを検索して、店舗情報を取得する処理と、取得された前記店舗情報を、アクセスがあったユーザに返却する処理とをコンピュータに行わせることを特徴とする。
【００１６】
本発明は、公共の乗り物に設置された紙媒体に印刷された、もしくは、電子的なディスプレイに表示された広告に、サーバアドレスと当該広告が掲示されている場所固有の場所識別記号を含んだアクセスキーが表示されていて、該アクセスキーに基づいて広告情報を提供する広告情報提供プログラムを記録したコンピュータ読み取り可能な記録媒体であって、前記広告情報提供プログラムは、ユーザからの当該広告に表示されているアドレスのサーバヘのアクセスを受け付ける処理と、ユーザから広告の前記アクセスキーを取得する処理と、前記アクセスキーから当該広告の広告識別記号と、当該広告の掲示車両を示す場所識別記号を抽出する処理と、前記場所識別記号とアクセス時刻から運行情報データベースを検索して、車両の通過場所を特定する処理と、前記広告識別記号と車両の通過場所に基づき、広告データベースを検索して、店舗情報を取得する処理と、取得された前記店舗情報を、アクセスがあったユーザに返却する処理とをコンピュータに行わせることを特徴とする。
【００１７】
本発明は、前記広告情報提供プログラムは、ユーザからのアクセス履歴を格納する処理をさらにコンピュータに行わせることを特徴とする。
【００１８】
【発明の実施の形態】
以下、本発明の一実施形態による広告情報提供システムを図面を参照して説明する。図１は同実施形態の構成を示すブロック図である。この図において、符号１０は、広告情報を提供する広告サーバである。符号２１は、広告情報が紙に印刷されたものであり、ここでは紙媒体と称する。符号２２は、広告情報を表示する電子的なディスプレイ装置から構成される電子媒体である。ここでは、紙媒体２１、電子媒体２２を広告ディスプレイと称する。符号３０は、携帯電話端末等の携帯端末装置である。符号４０は、インターネットであり、広告サーバ１０電子媒体２２、携帯端末装置３０の間で情報の授受が可能である。
【００１９】
次に、図２を参照して、図１に示す広告サーバ１０の構成を説明する。図２は、図１に示す広告サーバ１０の構成を示すブロック図である。図２において、符号１は、位置情報の管理を行う位置情報管理部である。符号２は位置情報を蓄える位置情報データベース（ＤＢ）である。符号３は、インターネット４０を介して通信を行う通信管理部である。符号４は、広告情報の管理を行う広告情報管理部である。符号５は、交通機関の運行情報を管理する運行情報管理部である。符号６は、オペレーティングシステム（ＯＳ）である。符号７は、アクセス履歴を蓄えるアクセス履歴データベース（ＤＢ）である。符号８は、店舗情報が蓄えられた広告データベース（ＤＢ）である。
【００２０】
次に、図３を参照して、図１、２に示す広告情報提供システムの動作を説明する。ここでは、ユーザが街頭、鉄道の駅、バス停、電車やバス等の車内に表示されている広告を閲覧して、広告中に記載されているサーバのアドレスに対し、ユーザが持つ携帯端末装置３０でアクセスを行い、その際に、広告内に表示されている場所固有の識別記号を含んだアクセスキーを入力させ、これを受けてユーザに対して店舗情報の提供を行う場合の動作を説明する。このとき、東京駅に掲示されている広告に基づいてアクセスが有った場合、この広告主が各地に店舗を持つチェーン店である場合には、東京駅に一番近い店舗の案内が提示される。また、新橋駅に提示されている広告からアクセスがあったなら、新橋駅に一番近い店舗の案内が提示される。また、東京駅行きの車両内に掲示されている広告からアクセスがあった場合、東京駅に近い店舗の案内が提示され、新橋駅行きの車両内に掲示されている広告からアクセスがあった場合は、新橋駅に近い店舗の案内が提示される。さらに、チェーン店の他には、ビールの広告において、そのビールを飲むことができる提携飲食店を紹介することにも応用可能である。
【００２１】
ユーザは、街頭、駅、車内等において、紙媒体２１や電子媒体２２の広告表示ディスプレイを閲覧する。図４に、広告表示ディスプレイの表示例を示す。広告表示ディスプレイには、広告内容、サーバアドレス、及びアクセスキーが表示される。ユーザは、この広告中に記述されているサーバアドレス（この例ではhttp://www.abc.com/）で示された広告サーバ１０に対して、ユーザの持つ携帯端末装置３０からアクセスを行う。これを受けて、広告サーバ１０の通信管理部３は、携帯端末装置３０からアクセスが有れば（ステップＳ１）、アクセスキーの入力を促す画面をユーザの携帯端末装置３０へ送信する（ステップＳ２）。図５にアクセスキーを入力を促す画面の表示例を示す。この画面に対してユーザは、アクセスキー（この例では１２３４５６７８）を入力し、広告サーバ１０の通信管理部３に送信する。ここで、８桁のアクセスキーのうち、前半４桁の「１２３４」が広告内容毎に付与された広告識別記号を示し、後半４桁の「５６７８」が場所固有の場所識別記号を示している。
【００２２】
次に、広告サーバ１０の通信管理部３は、アクセスキーの入力が有れば（ステップＳ３）、携帯端末装置３０から送信されたアクセスキーを受信し、このアクセスキーから広告識別記号と場所識別記号を抽出する（ステップＳ４）。続いて通信管理部３は、場所識別記号を位置情報管理部１へ渡し、広告識別記号を広告情報管理部４へ渡す。
【００２３】
これを受けて、位置情報管理部１は、場所識別記号を通信管理部３から受け取り、この場所識別記号が車両内であることを示すものでなければ、位置情報ＤＢ２を参照して、この場所識別記号が示す場所を検索し、場所識別記号が車両内であることを示すものであれば、運行情報ＤＢ５を参照して、この場所識別記号が示す車両の運行情報を検索する（ステップＳ５）。図６に位置情報ＤＢ２のテーブル構造を示す。この例では、場所識別記号が「５６７８」である場合、新橋駅となり、ユーザが閲覧した広告は新橋駅に設置されていたことを意味する。また、図７に運行情報ＤＢ５のテーブル構造を示す。この例では、場所識別記号が「５６７８」である場合、品川行きの急行電車となり、ユーザが閲覧した広告は電車内に表示されていたことを意味する。また、場所識別記号が車両内である場合は、アクセス時刻を取得し、この時間と運行情報を照合して、車両の現在地点を特定する。例えば、アクセス時刻が１６時３２分であれば、図７に示すように東京駅と新橋駅の間に居ることが分かる。そして、位置情報管理部１は、この検索結果を広告情報管理部４へ渡す。
【００２４】
次に、広告情報管理部４は、通信管理部３から広告識別記号を受信し、位置情報管理部１から、広告の設置場所である場所識別記号を受信する。そして、広告情報管理部４は、受信した広告識別記号を使用して広告ＤＢ８から対応する店舗情報を検索する（ステップＳ６）。このとき、場所識別記号が車内であることを示すものであれば、図９に示すテーブルから検索し、車内でない場合は、図８に示すテーブルから検索する。ここで、図８は、広告場所が車内でない場合に参照される広告ＤＢ８内のテーブルのテーブル構造を示す図である。図９は、広告場所が車内である場合に参照される広告ＤＢ８内のテーブルのテーブル構造を示す図である。
【００２５】
次に、広告情報管理部４は、アクセスのあった日付と時刻、アクセスのあった場所、車両内であれば車両を特定する情報（例えば、行き先等）、ユーザに提供した広告ＩＤをアクセス履歴ＤＢ７に格納する（ステップＳ７）。図１０に、アクセス履歴ＤＢ７のテーブル構造を示す。続いて、広告情報管理部４は、検索によって得られた広告情報を通信管理部３へ渡す。これを受けて、通信管理部３は、広告情報管理部４から受け取った店舗情報を携帯端末装置３０へ送信する（ステップＳ８）。これによって、携帯端末装置３０には広告情報が表示される。
【００２６】
このように、街頭、駅および車内向け広告情報提供システムにおいて、ユーザが広告を閲覧し、当該広告に記載されているアドレスにアクセスし、場所固有の識別記号を含んだアクセスキーを入力すると、システムは、システムに格納されている、識別記号と場所、車両運行情報の対応表を参照し、そのアクセス履歴を顧客情報として保持すると共に、当該ユーザに対して、その場所、車両の運行状況に応じた広告情報を提供する構成としたため、その場所に応じた適切な広告情報を得ることができる
【００２７】
なお、図３に示す処理機能を実現するためのプログラムをコンピュータ読み取り可能な記録媒体に記録して、この記録媒体に記録されたプログラムをコンピュータシステムに読み込ませ、実行することにより広告情報提供処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２９】
【発明の効果】
以上説明したように、この発明によれば、公共の場所、もしくは乗り物等車輌に設置される紙媒体に印刷された、もしくは、電子的なディスプレイに表示された広告の中に、ネットワーク上のサーバアドレスと、広告が掲示されている場所、もしくは車輌に固有の識別記号を含むアクセスキーを表示し、ユーザが端末装置を介しそのアクセスキーに基づくサービスを要求することにより、その場所に応じた適切な店舗情報を得ることができるという効果が得られる。また、そのアクセスキーから広告の掲示場所もしくは車輌を特定し、これら情報を含めアクセス履歴として保存することにより、顧客情報として活用も可能になるという効果も得られる。
【図面の簡単な説明】
【図１】  本発明の一実施形態の全体構成を示すブロック図である。
【図２】  図１に示す広告サーバ１０の構成を示すブロック図である。
【図３】  図１に示す広告サーバ１０の動作を示すフローチャートである。
【図４】  広告の表示例を示す説明図である。
【図５】  図１に示す携帯端末装置３０の画面表示例を示す説明図である。
【図６】  図２に示す位置情報ＤＢ２のテーブル構造を示す説明図である。
【図７】  図２に示す運行情報ＤＢ５のテーブル構造を示す説明図である。
【図８】  図２に示す広告ＤＢ８のテーブル構造を示す説明図である。
【図９】  図２に示す広告ＤＢ８のテーブル構造を示す説明図である。
【図１０】  図２に示すアクセス履歴ＤＢ７のテーブル構造を示す説明図である。
【符号の説明】
１・・・位置情報管理部
２・・・位置情報ＤＢ
３・・・通信管理部
４・・・広告情報管理部
５・・・運行情報ＤＢ
６・・・ＯＳ
７・・・アクセス履歴ＤＢ
８・・・広告ＤＢ（店舗情報）
１０・・・広告サーバ
２１・・紙媒体
２２・・・電子媒体
３０・・・携帯端末装置
４０・・・インターネット
【図１】
0003766011.tif 000002
【図２】
0003766011.tif 000003
【図３】
0003766011.tif 000004
【図４】
0003766011.tif 000005
【図５】
0003766011.tif 000006
【図６】
0003766011.tif 000007
【図７】
0003766011.tif 000008
【図８】
0003766011.tif 000009
【図９】
0003766011.tif 000010
【図１０】
0003766011.tif 000011